【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】
縫い始めに針に挿通されている上糸の端部を針板の下方で挟持するとともに、挟持した上糸の端部を針の上下動経路から離れた位置に移動させ、所定針数の針落ち後、挟持した上糸の端部を開放するミシンの上糸保持装置において、
保持面を備える保持部材と、
前記保持面に対向して配置され、前記保持面との間で前記上糸を挟持する挟持面を備える挟持部材と、
前記保持部材と前記挟持部材とを相対移動させる駆動手段と、
前記駆動手段を制御する制御手段と、を備え、
前記制御手段は、前記保持部材及び前記挟持部材を、前記保持面と前記挟持面とが前記針の上下動経路の両側に位置する初期位置と、前記保持部材に形成された第１の屈曲部と前記挟持部材に形成された第２の屈曲部とからなる上糸屈曲部が互いに交差することによって前記上糸を屈曲させることによりミシンの天秤による前記上糸の引き上げを許容しつつ該上糸に摺動抵抗を付与する中間保持位置と、前記天秤により引き上げられた前記上糸を前記保持面と前記挟持面との間で挟持する上糸挟持位置と、に相対移動させるように、前記駆動手段を制御することを特徴とする上糸保持装置。
【請求項２】
縫い始めに針に挿通されている上糸の端部を針板の下方で挟持するとともに、挟持した上糸の端部を針の上下動経路から離れた位置に移動させ、所定針数の針落ち後、挟持した上糸の端部を開放するミシンの上糸保持装置において、
保持面を備える保持部材と、
前記保持面に対向して配置され、前記保持面との間で前記上糸を挟持する挟持面を備える挟持部材と、
前記保持部材と前記挟持部材とを相対移動させる駆動手段と、
前記駆動手段を制御する制御手段と、を備え、
前記制御手段は、前記保持部材及び前記挟持部材を、前記保持面と前記挟持面とが前記針の上下動経路の両側に位置する初期位置と、前記保持部材に形成された第１の屈曲部と前記挟持部材に形成された第２の屈曲部とからなる上糸屈曲部が互いに交差することによって前記上糸を屈曲させることによりミシンの天秤による前記上糸の引き上げを許容しつつ該上糸に摺動抵抗を付与する中間保持位置と、前記天秤により引き上げられた前記上糸を天秤上死点の前後で前記保持面と前記挟持面との間で挟持する上糸挟持位置と、に相対移動させるように、前記駆動手段を制御することを特徴とする上糸保持装置。
【請求項３】
前記上糸屈曲部は、互いに近接した前記保持面と前記挟持面との間から下方に垂れる前記上糸の端部を、前記釜の釜軸に沿った方向へ屈曲させることを特徴とする請求項１又は２に記載の上糸保持装置。
【手続補正２】
【補正対象書類名】明細書
【補正対象項目名】０００６
【補正方法】変更
【補正の内容】
【０００６】
【課題を解決するための手段】
以上の課題を解決するため、請求項１記載の発明は、縫い始めに針（５２）に挿通されている上糸の端部を針板（５０）の下方で挟持するとともに、挟持した上糸の端部を針の上下動経路から離れた位置に移動させ、所定針数の針落ち後、挟持した上糸の端部を開放するミシン（１００）の上糸保持装置（６０）において、保持面（１ｆ）を備える保持部材（例えば、下板１）と、保持面に対向して配置され、保持面との間で上糸を挟持する挟持面（２ｅ）を備える挟持部材（例えば、上板２３）と、保持部材と挟持部材とを相対移動させる駆動手段（Ｂ）と、駆動手段を制御する制御手段（７０）と、を備え、制御手段は、保持部材及び挟持部材を、保持面と挟持面とが針の上下動経路の両側に位置する初期位置と、保持部材に形成された第１の屈曲部（１ｇ）と挟持部材に形成された第２の屈曲部（２ｆ）とからなる上糸屈曲部（１２３）が互いに交差することによって上糸を屈曲させることによりミシンの天秤による上糸の引き上げを許容しつつ該上糸に摺動抵抗を付与する中間保持位置と、天秤により引き上げられた上糸を保持面と挟持面との間で挟持する上糸挟持位置と、に相対移動させるように、駆動手段を制御することを特徴とする。
【手続補正３】
【補正対象書類名】明細書
【補正対象項目名】０００８
【補正方法】変更
【補正の内容】
【０００８】
請求項２記載の発明は、縫い始めに針（５２）に挿通されている上糸の端部を針板（５０）の下方で挟持するとともに、挟持した上糸の端部を針の上下動経路から離れた位置に移動させ、所定針数の針落ち後、挟持した上糸の端部を開放するミシン（１００）の上糸保持装置（６０）において、保持面（１ｆ）を備える保持部材（例えば、下板１）と、保持面に対向して配置され、保持面との間で上糸を挟持する挟持面（２ｅ）を備える挟持部材（例えば、上板２３）と、保持部材と挟持部材とを相対移動させる駆動手段（Ｂ）と、駆動手段を制御する制御手段（７０）と、を備え、制御手段は、保持部材及び挟持部材を、保持面と挟持面とが針の上下動経路の両側に位置する初期位置と、保持部材に形成された第１の屈曲部（１ｇ）と挟持部材に形成された第２の屈曲部（２ｆ）とからなる上糸屈曲部（１２３）が互いに交差することによって上糸を屈曲させることによりミシンの天秤による上糸の引き上げを許容しつつ該上糸に摺動抵抗を付与する中間保持位置と、天秤により引き上げられた上糸を天秤上死点の前後で保持面と挟持面との間で挟持する上糸挟持位置と、に相対移動させるように、駆動手段を制御することを特徴とする。
【手続補正４】
【補正対象書類名】明細書
【補正対象項目名】０００９
【補正方法】変更
【補正の内容】
【０００９】
請求項２記載の発明によれば、ミシンの上糸保持装置は、縫針による第一針目に布に挿通された縫糸の端部を挟持面と保持面との間で挟持する。その後、二〜三針縫製が進行するまで糸の端部を保持し続ける。これにより、針の上昇や天秤の引き上げ動作により、第一針の縫糸が布から抜け出てしまうことを防止する。
さらに、中間保持位置において、上糸屈曲部が縫い始めに天秤が上糸を引き上げる前に上糸を屈曲させて、天秤による上糸の引き上げを許容しつつ摺動抵抗を付与するとともに、その後、天秤上死点の前後に対応する上糸挟持位置において保持面と挟持面とが天秤により引き上げられた上糸を確実に保持する。その結果、天秤の上糸の引き上げにより発生する上糸のたるみを防止でき、針の目穴から上糸端部までの長さを安定させた上で挟持することができ、針の目穴から上糸端部までの長さを一定にすることができる。また、天秤により引き上げられた状態の上糸を挟持するので、針の目穴から上糸端部までの長さを短くすることができる。従って、生地裏に残る上糸の長さを一定かつ短くすることができる。
【手続補正５】
【補正対象書類名】明細書
【補正対象項目名】００１０
【補正方法】変更
【補正の内容】
【００１０】
請求項３記載の発明は、請求項１又は２に記載の上糸保持装置において、上糸屈曲部は、互いに近接した保持面と挟持面との間から下方に垂れる上糸の端部を、釜の釜軸（９１）に沿った方向へ屈曲させることを特徴とする。
【手続補正６】
【補正対象書類名】明細書
【補正対象項目名】００１１
【補正方法】変更
【補正の内容】
【００１１】
請求項３記載の発明によれば、請求項１又は２記載の発明と同様の作用を奏するとともに、上糸屈曲部は、保持面と挟持面との間から下方に垂れる上糸の端部を、釜軸に沿った方向へ屈曲させる。従って、中間保持位置あるいは上糸を挟持、保持する位置において、針の目穴から釜（釜の摺動面、レース面ともいう）に到る上糸の経路を、上糸屈曲部によって釜を回避するように変更することができ、釜と上糸の接触を防いで上糸の汚れを防止することができる。
また、上糸屈曲部の先端からさらに余る上糸の端部は、自らの硬さに応じて湾曲しつつ、下方に垂れ下がることになるが、かかる状態で中間保持位置における上糸の摺動を生じると、上糸屈曲部先端よりも先から垂れる上糸端部は、上糸屈曲部の突出方向に沿うように上糸屈曲部の根元側に向かって引き込まれ、上糸屈曲部先端から下方に湾曲した部分には遠心力が生じ、上糸屈曲部に沿った方向に持ち上げられる。
従って、上糸の端部が釜の方向へ向かいにくくすることができ、釜との接触を避けることができる。よって、上糸の端部に釜の汚れが付着したり、上糸の端部が釜に巻き込まれたりすることをさらに防ぐことができる。
【手続補正７】
【補正対象書類名】明細書
【補正対象項目名】００１２
【補正方法】変更
【補正の内容】
【００１２】
【発明の実施の形態】
以下、本発明の実施の形態を図１から図１６に基づいて説明する。
なお、本発明の上糸保持装置を含むミシン本体の各部材の構成を説明するにあたって、本実施形態では、図中に示したＸＹＺ軸によりそれぞれの方向を定める。Ｚ軸方向は、針の上下動と平行な方向であって、Ｘ軸、Ｙ軸方向は、Ｚ軸方向に垂直な面上で互いに直交する２方向である。特に、Ｘ軸方向における＋側を左、−側を右；Ｙ軸方向における＋側を前、−側を後；Ｚ軸方向における＋側を上、−側を下と表現する。
図１に示されるミシン１００は、略水平なベッド面３１ａを有するベッド部３１と、ベッド部３１の後端部に立設された縦胴部３２と、縦胴部３２の上部からベッド部３１と略平行になるように前方に延出するアーム部３３と、による概観概略形状を有している。
ミシン１００は、針５２が取り付けられた針棒３５をアーム部３３の前端部の下部において上下動する針棒駆動機構と、天秤４４をアーム部３３の前端部の側面部において上下動する天秤駆動機構と、針５２が供給する上糸により形成される布下の環状部に下糸を挿通させる回転釜９０を針棒３５の下方であるベッド部３１の内部において回動する回転釜駆動機構と、ベッド部３１の内部において針５２が供給する上糸の端部を挟持するとともに、挟持した上糸の端部を針の上下動経路から離れた位置に移動させる上糸保持装置６０と、を備えている。
針棒駆動機構は、針棒駆動手段としての主軸モータ３６と、主軸モータ３６が回転駆動する図示しない主軸と、主軸の回転運動を上下の往復運動に変換して針棒３５に伝動する図示しない伝動手段等により構成されている。そして、この針棒駆動機構により、針棒３５は、主軸１回転に伴い１往復の運動を行う（図２参照）。
なお、主軸モータ３６の主軸（図示省略）には、エンコーダ３６ａ（図６参照）が設けられている。エンコーダ３６ａは主軸モータ３６の主軸の回転角度を検知するものであり、例えば、主軸モータ３６の主軸が１°回転するごとにパルス信号を制御手段７０（図６参照）に出力する。